(57)【特許請求の範囲】
【請求項１】
電子機器の基板側に単一の金属製シェルを有してなる電気コネクタのコネクタ部を取り付けるにおいて、前記コネクタ部の長手方向の両端に位置する取付け部の取付け穴に、前記電気コネクタのコネクタ部に取り付けられる相手方の電気コネクタのコネクタ部側の取付けネジのネジ軸が螺着されるネジ穴を有する外ネジのネジ軸を挿入する一方、当該外ネジのネジ軸の前記電気コネクタのコネクタ部と前記電子機器の基板との間には内ネジを装着させてネジ連設体とし、当該ネジ連設体の内ネジを前記基板側に取り付けることを特徴とする電気コネクタの取付け部。
【請求項２】
電子機器の基板側に樹脂製コネクタベースブロックとこれに装着された単一の金属製シェルとからなる電気コネクタのコネクタ部を取り付けるにおいて、前記コネクタ部の長手方向の両端に位置する取付け部を前記金属製シェルの延設部で形成すると共に、当該延設部に穿設した取付け穴に、前記電気コネクタのコネクタ部に取り付けられる相手方の電気コネクタのコネクタ部側の取付けネジのネジ軸が螺着されるネジ穴を有する外ネジのネジ軸を挿入する一方、当該外ネジのネジ軸の前記電気コネクタのコネクタ部と前記電子機器の基板との間には内ネジを装着させてネジ連設体とし、当該ネジ連設体の内ネジを前記基板側に取り付けることを特徴とする電気コネクタの取付け部。
【請求項３】
前記ネジ連設体の基板側への取り付けを、当該基板側の取付け穴に挿入させた基板側ネジのネジ軸を前記ネジ連設体の内ネジ側に螺着させるか、或いは前記ネジ連設体の内ネジ部分を前記基板側表面の金属層部分に溶着させるか、若しくは前記ネジ連設体の内ネジ部分を前記基板側の取付け穴に挿入させて溶着させて行うことを特徴とする請求項１又は２記載の電気コネクタの取付け部。
【発明の詳細な説明】
【０００１】
【発明の属する技術分野】
本発明は、電気コネクタのコネクタ部を電子機器の基板側に取り付ける電気コネクタの取付け部に関するものである。
【０００２】
【従来の技術】
電気コネクタの一方のコネクタ部（プラグコンタクトを有するプラグコネクタ部やレセプタクルコンタクトを有するレセプタクルコネクタ部のいずれか）を電子機器の基板（シャーシなども可）側に取り付けるには、例えば図４〜図５に示すようにして行われている。電子機器の基板側に取り付けられる電気コネクタのコネクタ部１００は、周知のように内部に必要とされる多数のコンタクト（接触子、図示省略）が配列された樹脂成形品からなる樹脂製コネクタベースブロック１１０とこれに装着させられた金属成形品からなる金属製シェル１２０からなるものが多い。
【０００３】
そして、このコネクタ部１００の長手方向（図中左右方向）の両端には、通常樹脂製コネクタベースブロック１１０からの延設部１１１と金属製シェル１２０からの延設部１２１の両方からなる取付け部１３０，１３０があって、この取付け部１３０，１３０には、図中上下方向に貫通した取付け穴１３１，１３１（図中一方省略）が設けてある。
【０００４】
これらの取付け穴１３１，１３１には、取付けネジ２１０，２１０のネジ軸２１１，２１１を、図中上方側から挿入する一方、ネジ軸２１１，２１１の先端側を電子機器の基板３００側の取付け穴３１０，３１０（図中一方省略）に嵌め込み、この基板３００の裏側に突出した先端部分に、例えばナットなどの固定具２２０，２２０を装着させて固定している。このように固定されたコネクタ部１００には、電気コネクタの相手方のコネクタ部４００が、その中央の嵌合部４１０を嵌め込むと共に、やはりその長手方向（図中左右方向）の両端に設けた取付けネジ４２０，４２０のネジ軸４２１，４２１を、コネクタ部１００側の取付けネジ２１０，２１０の上端面側に開口したネジ穴２１２，２１２（図中一方省略）に螺着させて取り付けられるようになっている。
【０００５】
【発明が解決しようとする課題】
ところが、上記構造の取付け部にあっては、次のような問題点があった。
（１）先ず、樹脂製コネクタベースブロック１１０の延設部１１１の場合、基板３００側との間に切欠き部を設けて、適当な隙間δを形成してあるため、強固な固定状態が確保し難く、相手方のコネクタ部４００の嵌め込み時や取り外し時において、大きな不規則な外力（通常軸心を合わせた方向から正確に抜き差しするだけではなく、軸心方向に対して相当大きな力でかつ揺り動かした形で抜き差しすることが多く、この外力）がコネクタ部１００に掛かると、コネクタ部１００自体が揺れたり、ガタ付き易くなるなどの問題があった。この揺動やガタ付きが生じると、取付けネジ２１０とナットなどの固定具２２０による取付け部分などにも悪影響を与え、その締め付け状態が弛み易くなるなどの懸念がある。
【０００６】
このような隙間δを設ける理由としては、樹脂製コネクタベースブロック１１０の延設部１１１をなす樹脂部分の変形を防止することが挙げられる。
一般に、コネクタ部１００を基板３００に取り付けた後、このコネクタ部１００側のコンタクトや基板３００の表面側に実装した電子部品のリード部などを基板背面側の回路パターンなどと半田付けする必要がある。このとき、基板３００を例えば加熱溶融状態の半田浴槽上を移動させる、所謂半田フロー法を採用した場合、半田浴槽側からの熱が伝達されるため、上記隙間δがないと基板３００側の取付け穴３１０，３１０と近接した部分の樹脂部分が変形し易くなるからである。この変形によって、取付けネジ２１０とナットなどの固定具２２０による取付け部分が弛むと、経時的にさらに弛みが進行して、時にはナットなどの固定具２２０が落下する懸念がある。
【０００７】
（２）また、上記のような隙間δがあると、樹脂製コネクタベースブロック１１０の延設部１１１の下面側にフリー状態の遊び部分が生じるため、上述したように、取付けネジ２１０とナットなどの固定具２２０による取付け強度も十分確保できなくなるという問題もあった。
【０００８】
（３）さらに、このような隙間δによる遊びがあると、取付けネジ２１０と基板３００側の固定具２２０との締め付けには注意が必要とされ、強く締め付け過ぎると、樹脂製コネクタベースブロック１１０の延設部１１１部分が破損したり、金属製シェル１２０の延設部１２１が折れ曲がったりする問題もあった。
【０００９】
本発明は、このような従来の問題点に鑑みなされたもので、コネクタ部の取付け部の取付け穴に用いるネジ構造に改善を施して、上記従来の問題点を解消するようにした電気コネクタの取付け部を提供せんとするものである。
【００１０】
【課題を解決するための手段】
請求項１記載の本発明は、電子機器の基板側に単一の金属製シェルを有してなる電気コネクタのコネクタ部を取り付けるにおいて、前記コネクタ部の長手方向の両端に位置する取付け部の取付け穴に、前記電気コネクタのコネクタ部に取り付けられる相手方の電気コネクタのコネクタ部側の取付けネジのネジ軸が螺着されるネジ穴を有する外ネジのネジ軸を挿入する一方、当該外ネジのネジ軸の前記電気コネクタのコネクタ部と前記電子機器の基板との間には内ネジを装着させてネジ連設体とし、当該ネジ連設体の内ネジを前記基板側に取り付けることを特徴とする電気コネクタの取付け部にある。
【００１１】
請求項２記載の本発明は、電子機器の基板側に樹脂製コネクタベースブロックとこれに装着された単一の金属製シェルとからなる電気コネクタのコネクタ部を取り付けるにおいて、前記コネクタ部の長手方向の両端に位置する取付け部を前記金属製シェルの延設部で形成すると共に、当該延設部に穿設した取付け穴に、前記電気コネクタのコネクタ部に取り付けられる相手方の電気コネクタのコネクタ部側の取付けネジのネジ軸が螺着されるネジ穴を有する外ネジのネジ軸を挿入する一方、当該外ネジのネジ軸の前記電気コネクタのコネクタ部と前記電子機器の基板との間には内ネジを装着させてネジ連設体とし、当該ネジ連設体の内ネジを前記基板側に取り付けることを特徴とする電気コネクタの取付け部にある。
【００１２】
請求項３記載の本発明は、前記ネジ連設体の基板側への取り付けを、当該基板側の取付け穴に挿入させた基板側ネジのネジ軸を前記ネジ連設体の内ネジ側に螺着させるか、或いは前記ネジ連設体の内ネジ部分を前記基板側表面の金属層部分に溶着させるか、若しくは前記ネジ連設体の内ネジ部分を前記基板側の取付け穴に挿入させて溶着させて行うことを特徴とする請求項１又は２記載の電気コネクタの取付け部にある。
【００１３】
【発明の実施の形態】
図１は、本発明に係る電気コネクタの取付け部の一例を示したものである。
本発明の電気コネクタのコネクタ部１００Ａも、基本的には上記図４のものとほぼ同様で、内部に必要とされる多数のコンタクト（接触子）が配列された樹脂成形品からなる樹脂製コネクタベースブロック１１０と、これに装着された金属成形品からなる金属製シェル１２０からなる。
【００１４】
ただし、本例では、コネクタ部１００Ａの長手方向の両端に位置する取付け部１３０，１３０（図中一方省略）にあっては、金属製シェル１２０からの延設部１２１のみで形成してある。この延設部１２１の形状は特に限定されず、図示のように天板１２１ａと一方の側板１２１ｂからなる概略Ｌ字形や、天板１２１ａの左右に側板１２１ｂ，１２１ｂを設けた概略コ字形、さらには天板１２１ａのみとすることもできる。一方、樹脂製コネクタベースブロック１１０側にあっては、取付け部１３０に対応する部分は、上から下まですべてカット（除去）し、退避した構造としてある。
【００１５】
そして、本発明の場合、取付け部１３０をなす金属製シェル１２０の延設部１２１に穿設した取付け穴１３１には、図中上方側から外ネジ５１０のネジ軸５１１を挿入する一方、このネジ軸５１１には、雌ネジ穴５２１の貫通された内ネジ５２０Ａを図中下方から装着させてネジ連設体５００とし、このネジ連設体５００の内ネジ５２０Ａの図中下端の雌ネジ穴５２１には、基板３００側の取付け穴３１０にその裏面側から挿入させた基板側ネジ３２０のネジ軸３２１を螺着させてある。なお、外ネジ５１０の上端面側には、図４の場合と同様、電気コネクタの相手方のコネクタ部の取付けネジ用のネジ穴５１２が設けてある。
【００１６】
この構造によると、コネクタ部１００Ａの取付け部１３０部分から樹脂製コネクタベースブロック１１０の樹脂部分がカットされているため、熱変形の恐れが効果的に解消される。また、取付け部１３０が金属製シェル１２０の延設部１２１のみで形成されていても、金属製シェル１２０の天板１２１ａと基板３００間に内ネジ５２０Ａがスペーサとして介在され、それぞれの端面（上下の端面）が密着して当接するため、結局外ネジ５１０と基板側ネジ３２０との間で強固な取付け状態が得られる。
【００１７】
図２は、本発明に係る電気コネクタの取付け部の他の例を示したもので、このコネクタ部１００Ｂの場合、上記図１のものとほぼ同様構造であるが、ネジ連設体５００の基板３００側への取り付け方法が異なる。この方法では、基板３００側の表面にパターン印刷形成法などによって金属層部分３３０を設け、この部分に内ネジ５２０Ｂの下端面を半田３４０などで溶着させてある。
【００１８】
この構造でも、コネクタ部１００Ｂの取付け部１３０部分から樹脂製コネクタベースブロック１１０の樹脂部分が退避され、また、金属製シェル１２０の天板１２１ａと基板３００間に内ネジ５２０Ｂがスペーサとして介在されるため、結局上記コネクタ部１００Ａと同様の効果が得られる。
【００１９】
図３は、本発明に係る電気コネクタの取付け部の他の例を示したもので、このコネクタ部１００Ｃの場合も、上記図１のものとほぼ同様構造であるが、ネジ連設体５００の基板３００側への取り付け方法が異なる。この方法では、ネジ連設体５００の内ネジ５２０Ｃの下端側に突出軸５２２を設け、この突出軸５２２を基板３００側の取付け穴３１０に挿入させると共に、この取付け穴３１０の裏面及び／又は内側にパターン印刷形成法などによって金属層部分３４０を設けて、この部分と上記突出軸５２２を半田３４０などで溶着させてある。もちろん、この突出軸５２２をネジ軸として基板３００側の取付け穴３１０から突出させ、その先端部分に、従来と同様ナットなどの固定具を装着させてもよい。
【００２０】
この構造でも、コネクタ部１００Ｃの取付け部１３０部分から樹脂製コネクタベースブロック１１０の樹脂部分が退避され、また、金属製シェル１２０の天板１２１ａと基板３００間に内ネジ５２０Ｃがスペーサとして介在されるため、結局上記コネクタ部１００Ａと同様の効果が得られる。
【００２１】
なお、上記実施の態様では、好ましい例として、コネクタ部１００Ａ〜Ｃの取付け部１３０を、金属製シェル１２０からの延設部１２１のみで形成する場合であったが、本発明では、図４に示すような樹脂製コネクタベースブロック１１０からの延設部１１１を有する構造の取付け部１３０にあっても、この延設部１１１の図中下側にネジ連設体５００の内ネジ５２０Ａ〜Ｃがスペーサとして介在されるため、大きな強度の取付け部が得られる。
【００２２】
【発明の効果】
以上の説明から明らかなように、本発明に係る電気コネクタの取付け部によると、次のような優れた効果が得られる。
【００２３】
（１）先ず、外ネジと内ネジからなるネジ連設体の構造を採用し、この内ネジ部分がスペーサ機能を有するため、大きな強度の取付け部が得られる。
【００２４】
（２）つまり、コネクタ部の取付け部が金属製シェルからの延設部のみで形成される場合でも、或いは金属製シェルからの延設部と樹脂製コネクタベースブロックからの一部に隙間を設けた延設部との併用による場合でも、スペーサ機能の内ネジ部分によって、遊びが排除され、安定した取付け構造が得られる。
【００２５】
（３）もちろん、この内ネジによる遊びの排除によって、締め付け過ぎなどをあまり気にすることなく、取り付け作業ができるため、作業性の向上も得られる。また、取り付け作業時の締め付け過ぎによって、金属製シェルの延設部が折れ曲がったり、樹脂製コネクタベースブロックの延設部が破損したりするなどの問題も根本的に解消される。
【００２６】
（４）また、コネクタ部の取付け部を金属製シェルからの延設部のみで形成した場合、その後の半田付けなどの加熱工程において、樹脂製コネクタベースブロック部分の熱変形を効果的に防止することができる。
【００２７】
（５）さらに、ネジ連設体構造において、予め幾つかの種類の内ネジを用意しておけば、外ネジが同一構造のものであっても、電子機器の基板側に対して、バラエティーに富んだ取付け方法を提供することができる。
【図面の簡単な説明】
【図１】  本発明に係る電気コネクタの取付け部の一例になる要部を示した部分縦断拡大側面図である。
【図２】  本発明に係る電気コネクタの取付け部の他の例になる要部を示した部分縦断拡大側面図である。
【図３】  本発明に係る電気コネクタの取付け部のさらに他の例になる要部を示した部分縦断拡大側面図である。
【図４】  従来の電気コネクタの取付け部の全体を示した部分縦断側面図である。
【図５】  図４の電気コネクタの取付け部の部分縦断拡大側面図である。
【符号の説明】
１００Ａ〜Ｃ            電気コネクタのコネクタ部
１１０                  樹脂製コネクタベースブロック
１１１                  延設部
１２０                  金属製シェル
１２１                  延設部
１３０                  コネクタ部の取付け部
１３１                  取付け穴
３００                  基板
３１０                  取付け穴
３３０                  金属層部分
３４０                  半田
３５０                  金属層部分
４００ 電気コネクタの相手方のコネクタ部
４２０ 相手方のコネクタ部の取付けネジ
４２１ 取付けネジのネジ軸
５００                  ネジ連設体
５１０                  外ネジ
５２０Ａ〜Ｃ            内ネジ
【図１】
0004113625.tif 000002
【図２】
0004113625.tif 000003
【図３】
0004113625.tif 000004
【図４】
0004113625.tif 000005
【図５】
0004113625.tif 000006